(57)【要約】【課題】  操作パネルの一部が入力不能となった場合であっても、操作パネル全体を交換せずに使用できる操作パネルを提供する。【解決手段】  タッチパネルテストモードが動作させ、複数の入力領域４を順に入力可能か否かを確認する。検出手段は、入力領域４からの入力を感知したら入力可能領域４ａと検出し、入力を感知しなかったら入力不能領域４ｂと検出する。全ての入力領域４の検出終了後、特定手段が入力可能領域４ａと入力不能領域４ｂとを特定し、特定した入力不能領域４ｂの位置をトラブル履歴として記憶する。表示制御手段は、記憶した入力不能領域４ｂの位置が入力枠５と重なるかを確認し、入力不能領域４ｂが入力枠５と重なるときは、その入力枠５が入力不能領域４ｂと重ならないように配列を設定する。【選択図】図９
2008065372.tif 000002
【特許請求の範囲】
【請求項１】
入力可能な表示画面を有する表示装置を備え、
表示画面内における入力を行なえない入力不能領域を特定する特定手段と、入力不能領域を回避した表示を行なうように前記表示装置を制御する表示制御手段とが設けられたことを特徴とする操作パネル。
【請求項２】
入力不能領域を検出する検出手段が設けられ、
特定手段は、検出結果に基づいて、入力不能領域と入力可能領域とを特定することを特徴とする請求項１に記載の操作パネル。
【請求項３】
検出手段は、表示画面とは別に設けられた入力装置からの指令によって動作することを特徴とする請求項２に記載の操作パネル。
【請求項４】
表示装置は、操作内容を表示する操作画面を有し、
前記操作画面には、入力位置を示す入力枠と、入力の内容を示す入力案内とが表示され、
表示制御手段は、入力可能領域に前記入力枠を表示し、入力不能領域に前記入力案内を表示する、あるいは、表示を禁止することを特徴とする請求項２に記載の操作パネル。
【請求項５】
表示制御手段は、入力不能領域と入力可能領域との割合に基づいて、表示装置の使用の可否を決めることを特徴とする請求項４に記載の操作パネル。
【請求項６】
表示画面は、複数に区画された入力領域から構成され、
表示制御手段は、入力不能領域が連続して複数の区画にまたがるとき、前記表示装置の使用を禁止することを特徴とする請求項５に記載の操作パネル。
【請求項７】
表示制御手段は、入力不能領域があるとき、表示する入力枠を減らして、入力を制限することを特徴とする請求項５に記載の操作パネル。
【請求項８】
表示画面がタッチパネルとされたことを特徴とする請求項４に記載の操作パネル。
【請求項９】
入力不能領域が検出されたとき、表示制御手段は、入力不能領域に関するトラブル履歴を作成することを特徴とする請求項２に記載の操作パネル。
【請求項１０】
請求項１〜９のいずれかに記載の操作パネルを備えたことを特徴とする電気機器。
【請求項１１】
電気機器が、コピー、プリンタ、ファクシミリ、スキャナ、もしくは、これら２つ以上を組み合わせた複合機器であることを特徴とする請求項１０に記載の電気機器。
【発明の詳細な説明】
【技術分野】
【０００１】
本発明は、操作指示を入力するための表示装置を備える操作パネルに関する。
【背景技術】
【０００２】
コピー、プリンタ、ファクシミリ、スキャナ、もしくは、これらを組み合わせた複合機等の電気機器には、スタートボタンや一時停止ボタン等といった夫々の操作に応じた操作入力キーを備えた操作パネルが設けられている。操作入力キーとしては、操作性の観点から、指や専用のペン等で画面に触れることで使用者の操作を機器に入力することができる静電式のタッチパネルが多く採用されている。
【０００３】
ところで、操作パネルは、その一部分が故障した場合、特許文献１に示すように、故障した部分のみを交換することで、その修理費用を安く抑えるようにしている。しかし、タッチパネルが故障した場合、タッチパネルごと交換される。
【０００４】
一方、タッチパネルは、トラブル発生の頻度が低いため、メーカ側であっても、サービスパーツとしての在庫が少ない場合が多く、部品が入手できるまで操作パネルを取り付けていた電気機器が使用できない問題がある。そこで、特許文献２では、予め操作パネルの寿命設定値を記憶し、操作パネルの使用頻度からその寿命設定値を変化させ、寿命に近づいたら使用者に報知する操作パネルが開示されている。
【特許文献１】特開平０１−１６７９２５公報
【特許文献２】特開平０７−０６６８８５公報
【発明の開示】
【発明が解決しようとする課題】
【０００５】
ところで、特許文献２では、使用者に対して交換時期を報知しているが、操作パネルが故障した場合、操作パネル全体を取り替える必要があり、交換するまで使用できない問題がある。
【０００６】
そこで、本発明は、操作パネルの一部が入力不能となった場合であっても、操作パネル全体を交換せずに使用できる操作パネルの提供を目的とする。
【課題を解決するための手段】
【０００７】
上記目的を達成するために、本発明では、入力可能な表示画面を有する表示装置を備え、表示画面内における入力を行なえない入力不能領域を特定する特定手段と、入力不能領域を回避した表示を行なうように前記表示装置を制御する表示制御手段とが設けられたことを特徴とする。
【０００８】
表示装置は、接触あるいは非接触式の入力機構を備え、表示画面を通じて使用者からの操作入力を受け付ける。ところで、製品寿命や故障等によって、表示画面に入力不能領域が発生する。入力不能領域とは、表示画面から操作入力が行なえない領域、あるいは、表示画面の一部が表示されず、操作入力が行なえない領域である。
【０００９】
そこで、特定手段によって入力不能領域を特定し、表示制御手段が特定した入力不能領域を回避するように表示画面の配置を変更することで操作入力を行なえるようにする。
【００１０】
具体的には、操作パネルは、入力不能領域を検出する検出手段が設けられる。特定手段は、検出結果に基づいて入力不能領域と入力可能領域とを特定する。表示制御手段は、特定した入力不能領域を回避した位置、すなわち、入力が行なえる領域である入力可能領域に入力位置を示す入力枠を表示し、入力不能領域に入力の内容を示す入力案内を表示する、あるいは、表示を禁止する。
【００１１】
上記構成により、表示装置からの入力が部分的に不能となったとしても、操作入力を行なえる位置に入力枠が配置されるので、表示装置全体を取り替えることなく続けて使用することができる。
【００１２】
また、表示画面は、複数の入力領域に区画されている。検出手段は、各区画を順に入力可能か否かを確認する。検出手段は、入力を検出した入力領域を入力可能領域とし、入力を検出できなかった入力領域を入力不能領域とする。
【００１３】
また、検出手段は、表示画面とは別に設けられた入力装置からの指令によって動作することを特徴とする。この構成によると、表示画面の一部が入力不能領域となった場合であっても、入力装置からの操作入力により検出手段を動作させることができる。
【００１４】
また、入力不能領域が検出されたとき、表示制御手段は、入力不能領域に関するトラブル履歴を作成することを特徴とする。ここで、トラブル履歴とは、表示画面から操作入力が行なえない領域、あるいは、表示画面の一部が表示されずに操作入力が行なえない領域が発生したことや発生した位置等を含む情報である。
【００１５】
表示装置は、操作内容を表示する操作画面を有する。表示制御手段は、トラブル履歴を参照して、入力枠を配置した操作画面を表示する。トラブル履歴は、メモリに記憶される。機器の再起動後であっても、入力不能領域を回避した位置に入力枠を配置することができる。
【００１６】
また、表示制御手段は、入力不能領域と入力可能領域との割合に基づいて、表示装置の使用の可否を決める。入力に支障を来たす程度に入力不能領域が多いと、表示装置を使用禁止にする。入力不能領域が少なく、表示の変更によって対応できるときは、表示装置を使用可能にする。
【００１７】
例えば、表示画面が複数に区画された入力領域から構成され、入力不能領域が連続して複数の区画にまたがって存在するときに、表示制御手段は、前記表示装置の使用を禁止する。
【００１８】
また、操作画面に入力位置を示す入力枠と入力内容を示す入力案内とが表示され、表示画面に複数の入力枠を表示し、入力不能領域があるとき、表示する入力枠を減らして、入力を制限するように表示する。この場合、操作できる機能は減るが、基本的な機能を使用できる。すなわち、操作パネルを備えた画像処理装置において最低限の機能を発揮できる。
【発明の効果】
【００１９】
以上のとおり、本発明は、表示画面の一部が入力不能領域となった場合であっても、正常な場合と同様に操作パネルを使用することができる。この間に交換部品を取り寄せておけば、交換時に使用できないだけであり、使用できない時間を短くすることができる。
【発明を実施するための最良の形態】
【００２０】
以下、本発明の実施形態に係る、操作パネル１を備えた画像処理装置Ａを図面に基づいて説明する。本発明の画像処理装置Ａは、図１に示すように、コピーモード、プリントモード、スキャナモードおよびファクシミリモードを実行する複合機であって、原稿を読み取って画像データを入力するスキャナ部２０と、画像データを処理する画像データ処理部３０と、認証情報等の入力された情報を処理する情報処理部４０とを備えている。
【００２１】
画像データ処理部３０は、入力された画像データの編集、記憶、出力処理を行なう画像処理部５０と、ネットワークを介してデータ通信を行なうネットワーク通信部７０と、画像データを印刷して出力するプリント部８と、装置全体の制御情報や設定情報等を記憶している管理部９と、装置全体の制御を司る機器制御部１０とを有する。
【００２２】
画像処理部５０は、画像データを保存するハードディスク装置およびメモリを備えている。
【００２３】
情報処理部４０は、入力操作用の入力装置３と、操作画面を表示する表示装置２と、ＵＳＢ機器やＩＣカード等の携帯端末機器と通信を行なうインターフェース部１３と、入力された認証情報に対する認証を行なう認証部１４と、認証情報等の情報を記憶するメモリ１５と、入力された操作情報や認証情報の処理を行なう制御部１６とを有する。インターフェース部１３による通信は、有線に限らず無線であってもよい。制御部１６は、表示装置２を制御して、処理に応じた操作画面を表示させる。
【００２４】
入力装置３および表示装置２は、図２に示すように、操作パネル１に設けられる。入力装置３は、各種の押し下げることにより入力を行なう入力キー７を備えている。
【００２５】
そして、複数の画像処理装置Ａが、ＬＡＮ、ＷＡＮといったネットワークに接続されている。ネットワークには、複数の外部装置が接続されている。外部装置としては、パーソナルコンピュータ、サーバとされる。なお、サーバは、システム全体を管理する管理サーバや利用者を認証する認証サーバ等である。さらに、ネットワークは、ルータから電話回線や光ファイバ等の通信回線を介してインターネットに接続される。また、画像処理装置Ａは、図示しないモデム装置を有し、電話回線を通じてファクシミリ装置とデータ通信を行なえる。
【００２６】
画像処理装置Ａは、外部装置とネットワークを通じて所定の通信プロトコルによって通信可能とされる。また、画像処理装置Ａ同士も通信可能とされる。なお、ネットワーク内での通信は有線でも無線でもよい。
【００２７】
画像データは、外部装置からネットワークを通じて画像処理装置Ａに送信される。画像処理装置Ａのネットワーク通信部７が、画像データを受信して入力する。ファクシミリ通信の場合は、モデム装置が画像データを入力する。また、スキャナ部２０からも画像データが入力される。
【００２８】
機器制御部１０は、画像データの入力があると、入力装置３からの入力情報や入力された画像データのヘッダ情報に含まれる処理条件に基づいてプリントモード、コピーモード、スキャナモード、ファクシミリモードのいずれかの処理を実行する。プリントモードやコピーモードでは、画像処理部５０において画像データの画像処理を行なってから、プリント部８により記録シートに画像を印刷する。スキャナモードでは、画像データをハードディスク装置に記憶し、外部装置からの呼び出しによってネットワーク通信部７を通じて画像データを外部装置に送信する。ファクシミリモードでは、モデム装置を通じて画像データをファクシミリ装置に送信する。
【００２９】
次に、表示装置２は、図２に示すような、静電式のタッチパネルと液晶ディスプレイとを有する。タッチパネルは、指や専用のペン等でパネル表面に触れることで操作の入力を受け付ける入力装置である。タッチパネルは、複数に区画された入力領域４から構成される。また、タッチパネルは、専用の透明なスクリーンから形成されており、液晶ディスプレイの上面を覆うように取り付けられる。
【００３０】
ここで、入力領域４は、マトリックス状に配置され、この領域内を触れると言った操作により、入力が感知される。この入力領域４に対する位置情報が制御部１６に出力される。入力領域４は、長期間の使用や厳しい環境の変化によって故障すると、入力ができない入力不能領域４ｂとなる。その他の入力できる領域は、入力ができる入力可能領域４ａとされる。
【００３１】
液晶ディスプレイは、入力領域４に合わせて入力位置を示す入力枠５と、入力枠５の入力内容を示す入力案内６を画面に表示するように、制御部１６によって駆動制御される。なお、入力枠５とは、用紙の指定、コピーの拡大・縮小、印刷濃度等の機能選択をする入力キーの表示である。また、入力案内６とは、動作モードやエラーメッセージと言った運転状況、あるいは、入力枠５の機能説明と言った情報を示す表示である。また、液晶ディスプレイには、入力領域のない表示専用の領域６ａがある。この表示専用の領域６ａは、画像処理装置状況Ａの運転状況あるいは表示装置２の使用の可否等を報知する入力案内６を表示する。
【００３２】
また、操作パネル１は、機器制御部１０によって制御される。機器制御部１０は、タッチパネルから入力された操作指令に基づいて制御部１６に対して、動作状況に合わせた操作画面を液晶ディスプレイに表示させるよう指示を出す。制御部１６は、機器制御部１０からの指示に基づいて、入力領域４に合わせて入力枠５および入力案内６を配置し、液晶ディスプレイに表示させる。
【００３３】
次に、入力枠５を入力不能領域４ｂを回避するような表示をする手段を説明する。制御部１６は、各入力領域４からの入力が可能か否かを検出する検出手段と、検出手段の検出結果に基づいて入力領域４からの入力が可能な入力可能領域４ａと入力領域４からの入力が不能な入力不能領域４ｂとを特定する特定手段と、特定した入力不能領域４ｂを回避して入力枠５の表示を行なうように表示装置３を制御する表示制御手段とを備える。
【００３４】
検出手段は、入力不能領域４ｂを検出する。具体的には、制御部１６は、図３および図４に示すような、各入力領域４からの入力が可能か否かを検出するタッチパネルテストモードを備える。検出手段は、入力キー７からの入力によってタッチパネルテストモードの動作を開始させる。入力領域４には、図３に示すように、Ａ１、Ａ２、Ａ３、Ａ４、・・・、と番地が付けられている。表示画面に表示された各入力領域４を使用者が順に触れていくように入力案内６で表示する。
【００３５】
検出手段は、入力領域４からの入力を感知すると、図４に示すように、感知した入力領域４の区画の色を変えて表示する。また、入力領域４からの入力を感知しなかったときは、その区画に異なる表示、例えば、「×」印を表示する。なお、入力を感知しない入力領域４があった場合は、予め設定された入力キー７（本実施形態においては「０」）を押すことで、検出手段は入力を感知することができない入力領域４として認識する。また、入力するよう表示してから一定時間入力がなかったときに、入力を感知することができない入力領域４として認識しても良い。
【００３６】
特定手段は、検出手段の検出結果に基づいて入力可能領域４ａと、入力不能領域４ｂとを特定する。具体的には、特定手段は、図５および図６に示すように、タッチパネルテストモードが終了すると、入力不能領域４ｂであるＢ５、Ｄ５と、入力不能領域４ｂ以外の入力可能領域４ａとをメモリ１５に記憶する。
【００３７】
表示制御手段は、特定された入力不能領域４ｂを含むトラブル履歴を作成し、メモリ１５に記憶する。ここで、トラブル履歴とは、特定された入力不能領域４ｂ、記録用紙や原稿等の紙詰り、記録用紙や原稿等の重送と言った搬送中の故障等に関する発生日時、発生箇所、状況等の情報である。
【００３８】
また、表示制御手段は、表示画面に表示する入力枠５や入力案内６等の表示位置や表示内容を決める。具体的には、表示制御手段は、図７および図８に示すように、入力可能領域４ａに合わせて入力枠５を配置して表示し、入力不能領域４ｂに入力案内６を配置して表示する。あるいは、入力可不能域４ｂ内には、何も表示しない。なお、入力枠５は入力可能領域４ａに入るように表示する。例えば，１つの入力可能領域４ａ内に入るように入力枠５を表示する。または、複数の入力可能領域４ａに渡って入力枠５を表示する。
【００３９】
例えば、コピーモードの場合、通常、液晶ディスプレイには、図７（ａ）に示すような操作画面が表示される。そして、表示制御手段は、特定手段によって入力不能領域４ｂが特定されると、入力不能領域４ｂと入力枠５が重なっていないかを確認する。入力枠５が入力不能領域４ｂと重なっている場合は、図８（ａ）に示すように、入力枠５であるコピーの濃度の切り替えの表示位置を入力不能領域４ｂからずらして表示させる。また、図７（ｂ）に示すようなコピー倍率の変換の操作画面の場合は、図８（ｂ）に示すように、入力枠５である指定倍率の表示位置をずらして表示させる。また、図７（ｃ）に示すような特別機能を選択する操作画面の場合は、図８（ｃ）に示すように、入力枠５である機能選択の表示位置をずらして表示させる。また、図７（ｄ）に示すような両面コピーの選択画面の場合は、図８（ｄ）に示すように、入力枠５である指定倍率の表示位置をずらして表示させる。
【００４０】
また、表示制御手段は、入力可能領域４ａと入力不能領域４ｂとの割合に基づいて、表示装置２の使用の可否を決める。具体的には、連続して複数の区画、例えば、タッチパネルを区画分けしたときの列あるいは行の全てが入力不能領域４ｂと特定されたときに、表示制御手段は表示装置２の使用を禁止する。
【００４１】
また、特定手段によって特定された入力不能領域４ｂの区画が入力可能領域４ａの区画よりも多いと判断したとき、あるいは、タッチパネルの表示可能面積に対して所定値以上、例えば、タッチパネルの表示可能面積に対して４０％以上が入力不能領域４ｂと検出されたときに、表示制御手段は表示装置２の使用を禁止する。
【００４２】
なお、表示制御手段は、表示装置２の使用を禁止した場合、その旨を使用者に報知するために、表示装置２の使用を禁止することを表示専用の領域６ａに表示する。
【００４３】
次に、入力不能領域４ｂの検出から入力枠５の配置設定までの流れを、図９を用いて説明する。なお、図中のキー入力とは、区画分けされた入力領域４からの入力である。
【００４４】
先ず、入力キー７からの入力により、タッチパネルテストモードが動作する（Ｓ１）。図３に示すように、表示制御手段は、複数の入力領域４にあわせて区画分けした画面を表示する。検出手段は、使用者に対して、各入力領域４を順に入力するよう表示画面に表示する（Ｓ２）。
【００４５】
図４に示すように、使用者は、順に入力領域４を押していき（Ｓ３）、検出手段は、入力領域４からの入力を感知したかを確認する（Ｓ４）。検出手段は、入力領域４からの入力を感知したことを検出すると、表示制御手段が感知した入力領域４の区画の色を変えて表示する（Ｓ５）。入力を感知しなかったとき、使用者による入力キー７からの入力を検出すると、表示制御手段は、検出した入力不能領域４ｂの位置を記憶し（Ｓ８）、その入力領域４の表示を変える（Ｓ９）。
【００４６】
検出手段は、入力領域４の全てが終了したかを確認する（Ｓ６）。終了していない場合は、次に確認する入力領域４を入力するよう使用者に表示画面に表示して報知し（Ｓ２）、全ての入力領域４を確認するまで行なう。
【００４７】
図５に示すように、全ての入力領域４の確認が終了したら、その結果をメモリに記憶し、入力不能領域４ｂがない場合は（Ｓ７）、そのままタッチパネルテストモードを終了し、通常の動作モードに移行する。入力不能領域４ｂがある場合（Ｓ７）、表示制御手段は、その入力不能領域４ｂの位置をメモリから読み出し（Ｓ１０）、図６に示すように表示する。
【００４８】
表示制御手段は、特定した入力不能領域４ｂの位置が入力枠５と重なるかを確認する。入力不能領域４ｂが入力枠５と重なるときは、その入力枠５の配列を設定する（Ｓ１１）。入力枠５の配列の設定が終了したら、タッチパネルテストモードを終了する。図８に示すように、制御部１０によって設定された操作画面を液晶ディスプレイに表示させ、通常の動作モードに移行する。
【００４９】
入力不能領域４ｂが入力枠５と重ならないときは、その入力枠５の配列を変更することなくタッチパネルテストモードを終了する。図７に示すように、制御部１０が通常の操作画面を表示させ、通常の動作モードに移行する。
【００５０】
なお、本発明は、上記実施形態に限定されるものではなく、本発明の範囲内で上記実施形態に多くの修正および変更を加え得ることは勿論である。また、本発明の操作パネルは、画像処理装置に用いるだけでなく、例えば、炊飯器、洗濯機、電気温風器等の操作パネルを必要とする電気機器全般に使用できる。
【００５１】
また、入力不能領域は、表示画面からの入力ができない入力領域について説明しているが、特にこの限りではない。例えば、液晶ディスプレイの一部が表示できなくなった場合、この表示できなくなった部分に入力枠が配置されないように、再配置しても良い。
【００５２】
また、操作装置は、静電式のタッチパネルとしているが、感圧によって入力を検出する接触式の表示装置であっても良い。また、光あるいはカメラ等によって入力を感知する非接触式の表示装置を用いても良い。
【００５３】
また、タッチパネルテストモードは、入力キーからの入力に基づいて開始されるが、定期的に表示装置の入力の可否を検査するために、所定時間あるいは使用回数によって自動的にテストモードを開始しても良い。
【００５４】
さらに、入力不能領域が多い場合は、入力枠を減らして操作画面を表示しても良い。この場合、操作できる機能は減るため、基本的な機能の入力枠を表示する。特殊な入力操作用の入力枠は表示しない。
【図面の簡単な説明】
【００５５】
【図１】本発明の画像処理装置の概略構成を示す図
【図２】操作パネルを示す図
【図３】タッチパネルテストモードの表示画面であって、入力領域を区画分けした画面を示す図
【図４】タッチパネルテストモードの表示画面であって、入力可能領域と入力不能領域とに印を表示した画面を示す図
【図５】タッチパンルテストモードの終了を示す図
【図６】特定した入力可能領域と入力不能領域を示す図
【図７】通常時に使用する入力枠および入力案内の配置画面を示す図であって、（ａ）はコピー濃度を選択する画面、（ｂ）はコピー倍率を選択する画面、（ｃ）は特別機能を選択する画面、（ｄ）は両面コピーを選択する画面、（ｅ）はコピー濃度を選択する画面
【図８】入力枠および入力案内の配置を変更した画面を示す図であって、（ａ）はコピー濃度を選択する画面、（ｂ）はコピー倍率を選択する画面、（ｃ）は特別機能を選択する画面、（ｄ）は両面コピーを選択する画面
【図９】入力不能領域を検出して入力枠を配置するまでのフローチャート
【符号の説明】
【００５６】
１    操作パネル
２    表示装置
３    入力装置
４    入力領域
４ａ  入力可能領域
４ｂ  入力不能領域
５    入力枠
６    入力案内
６ａ  表示専用の領域
７    入力キー
８    プリント部
９    管理部
１０  機器制御部
１３  インターフェース部
１４  認証部
１５  メモリ
１６  制御部
２０  スキャナ部
３０  画像データ処理部
４０  情報処理部
５０  画像処理部
７０  ネットワーク通信部
Ａ    画像処理装置
【図１】
2008065372.tif 000003
【図２】
2008065372.tif 000004
【図３】
2008065372.tif 000005
【図４】
2008065372.tif 000006
【図５】
2008065372.tif 000007
【図６】
2008065372.tif 000008
【図７】
2008065372.tif 000009
【図８】
2008065372.tif 000010
【図９】
2008065372.tif 000011